(57)【要約】【課題】  ターゲットまでのゴルフボールの軌跡を確認しながらパッドの練習ができるようにすること。【解決手段】  このゴルフ練習装置１００は、ＬＤユニット３から出射したスポット光がロッドレンズ４に入射し、ロッドレンズ４から出射されることで前記スポット光が分岐して線状のレーザ光となる。このレーザ光は、本体２の下方から前方にかけて出射され、地面に直線状の基準線を生成する。ユーザは、この基準線上の先にホール等のターゲットを設置する。そして、ユーザは、パッドの練習するにあたり、この基準線上にゴルフボールを置き、当該基準線を確認しながらターゲットに向ってパッドを行う。このように、ユーザは、ゴルフ練習装置１００を三脚１で立てて、レーザ光からなる基準線を出射することで、ゴルフボールの軌道を見ながら簡単にパッドの練習を行うことができる。【選択図】図１
2009261893.tif 000002
【特許請求の範囲】
【請求項１】
ゴルフの練習に用いるものであって、地面の手前から前方に向ってレーザ光による基準線を生成する光学系ユニットを備えたことを特徴とするゴルフ練習装置。
【請求項２】
更に、装置の立設状態で本体高さより上へのレーザ光の出射を規制し得る規制手段を有することを特徴とする請求項１に記載のゴルフ練習装置。
【請求項３】
更に、ゴルフクラブのフェースで反射したレーザ光を受光する受光部と、受光部の出力信号に基づいてユーザに対してランプやブザー等により報知する報知手段を設けたことを特徴とする請求項１又は２に記載のゴルフ練習装置。
【請求項４】
請求項１〜３のうちいずれか一つのゴルフ練習装置を２台対向配置し、この配置した状態で基準線同士が重なるようにし、この基準線上に置いたボールの両側から当該ボールに基準線を投射することを特徴とするゴルフ練習装置の使用方法。
【請求項５】
請求項１〜３のうちいずれか一つのゴルフ練習装置を２台以上配置し、当該ゴルフ練習装置の出射する基準線を交差させて目標点を生成することを特徴とするゴルフ練習装置の使用方法。
【請求項６】
全身鏡と、
当該全身鏡に対して直接又は傍らに配置され且つ垂直基準線及び水平基準線を生成する光学系ユニットと、
前記水平基準線の高さを調整する高さ調整手段と、
を有することを特徴とするゴルフ練習装置。
【請求項７】
請求項６のゴルフ練習装置により、全身鏡の前に立ったユーザの体の軸方向に対して垂直基準線を投射し、肩幅方向に水平基準線を投射することを特徴とするゴルフ練習装置の使用方法。
【請求項８】
請求項６〜７の高さ調整手段によりユーザの肩幅方向に投射する水平基準線の高さを調整することを特徴とするゴルフ練習装置の使用方法。
【発明の詳細な説明】
【技術分野】
【０００１】ゴルフ練習装置
【背景技術】
【０００２】  従来からゴルフのパットを練習するための様々な練習機が販売されている。例えば、方形の透明板の上に直線を描き、この透明板の直線をターゲットに向けると共にその下にゴルフボールを置いて、パッドを行うゴルフ練習機が販売されている。その他、特許文献１に記載されているようなゴルフスイング練習装置等が知られている。
【特許文献１】特願平５−７６２６８号公報
【発明の開示】
【発明が解決しようとする課題】
【０００３】  しかしながら、従来のいずれのゴルフ練習機もホール等のターゲットまでのゴルフボールの軌道を見ながらパッドの練習を行うことができないという問題点があった。また、スイングやパッドの姿勢を矯正する簡単な装置が提供されていないという問題点があった。
【課題を解決するための手段】
【０００４】  そこで、この発明のゴルフ練習装置は、ゴルフの練習に用いるものであって、地面の手前から前方に向ってレーザ光による基準線を生成する光学系ユニットを備えたことを特徴とする。【０００５】  また、この発明のゴルフ練習装置は、上記発明において、更に、装置の立設状態で本体高さより上へのレーザ光の出射を規制し得る規制手段を有することを特徴とする。【０００６】  また、この発明のゴルフ練習装置は、上記発明において、更に、ゴルフクラブのフェースで反射したレーザ光を受光する受光部と、受光部の出力信号に基づいてユーザに対してランプやブザー等により報知する報知手段を設けたことを特徴とする。【０００７】  また、この発明のゴルフ練習方法は、上記ゴルフ練習装置を２台対向配置し、この配置した状態で基準線同士が重なるようにし、この基準線上に置いたボールの両側から当該ボールに基準線を投射することを特徴とする。【０００８】  また、この発明のゴルフ練習方法は、上記ゴルフ練習装置を２台以上配置し、当該ゴルフ練習装置の出射する基準線を交差させて目標点を生成することを特徴とする。【０００９】  また、この発明のゴルフ練習装置は、全身鏡と、当該全身鏡に対して直接又は傍らに配置され且つ垂直基準線及び水平基準線を生成する光学系ユニットと、前記水平基準線の高さを調整する高さ調整手段とを有することを特徴とする。【００１０】  また、この発明のゴルフ練習方法は、上記ゴルフ練習装置により、全身鏡の前に立ったユーザの体の軸方向に対して垂直基準線を投射し、肩幅方向に水平基準線を投射することを特徴とする。【００１１】  また、この発明のゴルフ練習方法は、上記発明において、前記高さ調整手段によりユーザの肩幅方向に投射する水平基準線の高さを調整することを特徴とする。
【発明を実施するための最良の形態】
【００１２】（実施の形態１）
図１は、この発明の実施の形態１にかかるゴルフ練習装置を示す構成図である。このゴルフ練習装置１００は、三脚１により支持され且つ水平方向に回転する本体２と、この本体２内にレーザのスポット光を出射するＬＤ（半導体レーザ）ブロック３と、ＬＤブロック３から出射したレーザ光を分岐して基準線を生成するロッドレンズ４と、二次電池からなる電源５とを備えている。前記ＬＤブロック３とロッドレンズ４とにより光学系ユニット６を構成する。【００１３】  前記ＬＤブロック３は、半導体レーザ７と集光レンズ８とを備える。このＬＤブロック３は、レーザ光からなる基準線を地面に生成するために、斜め下方に向って配置されている。前記本体２はプラスチック製であり、三脚１の各脚は折りたたみ可能である。また、三脚１の高さは、調節可能である。本体２の出射口９は、ロッドレンズ４から分岐されたレーザ光が本体２の高さＨよりも上にならないように、その出射口９の寸法が決められている。即ち、本体２の出射口９の上端部９ａ近傍により、前記ロッドレンズ４から出射するレーザ光が本体２より上に出射されないように規制される。これにより、ユーザは、本体２よりも目の位置を高くしている限り、眩しい思いをすることがない。【００１４】  一方、出射口９の下端部９ｂは広く開口しており、ロッドレンズ４で分岐したレーザ光が本体直下の地面に対して投射されるようになっている。なお、この光学系ユニット６は、本体２に対してジンバル軸により懸架されており、光学系ユニット６の自重により傾斜を自動的に補正できる（図示省略）。【００１５】  このゴルフ練習装置１００は、ＬＤユニット３から出射したスポット光がロッドレンズ４に入射し、ロッドレンズ４から出射されることで前記スポット光が分岐して線状のレーザ光となる。このレーザ光は、本体２の下方から前方にかけて出射され、図２に示すように、地面に直線状の基準線Ｓを生成する。ユーザは、この基準線Ｓ上の先にホール等のターゲットＴを設置する。そして、ユーザは、パッドの練習するにあたり、この基準線Ｓ上にゴルフボールＢを置き、当該基準線Ｓを確認しながらターゲットＴに向ってパッドを行う。このように、ユーザは、ゴルフ練習装置１００を三脚１で立てて、レーザ光からなる基準線Ｓを出射することで、ゴルフボールＢの軌道を見ながら簡単にパッドの練習を行うことができる。【００１６】  図３は、このゴルフ練習装置の使用方法の一例を示す説明図である。このように、上記ゴルフ練習装置１００を２台対向して配置し、それぞれのゴルフ練習装置１００から出射される基準線Ｓが互いに重なるようにする。この基準線Ｓの調整は、本体２を三脚１の上で回転することで行う。この状態で基準線Ｓ上にゴルフボールＢを置くと、ゴルフボールＢの両側からレーザ光が当該ゴルフボールＢに照射されるから、図４に示すように、ゴルフボールＢの前後全体にわたり基準線Ｓが照射される。なお、図４（ａ）は、ゴルフボールに対して地面から垂直にレーザ光が照射された状態を示す正面図である。図４（ｂ）は、ゴルフボールの前後からレーザ光が照射された状態を示す平面図である。図４（ｃ）は、ゴルフボールの前後からレーザ光が照射された状態を示す斜視図である。【００１���】  ホール等のターゲットＴは基準線Ｓ上に配置される。また、ターゲットＴに近いほうのゴルフ練習装置１００の手前には、ゴルフボールＢが当たってゴルフ練習装置１００が倒れないように、保護ブロックＫが置かれる。なお、この保護ブロックＫは前記ターゲットＴと一体化した構造であってもよい（図示省略）。このようにして、ユーザは、基準線Ｓを地面に生成し、ゴルフボールＢを基準線Ｓ上に置き、当該基準線Ｓを見ながらパッドの練習をする。このゴルフ練習装置１００の使用方法によれば、パターにより一方側のゴルフ練習装置１００からのゴルフボールＢに対する基準線Ｓの照射が遮断されても、もう片方側のゴルフ練習装置１００からゴルフボールＢに対して基準線Ｓが照射されるから、ユーザがパッドする際にゴルフボールＢ上の基準線Ｓを見失うことなく、練習できる。【００１８】  図５は、このゴルフ練習装置の使用方法の別の例を示す説明図である。この使用方法では、ゴルフ練習装置１００を２台配置し、当該ゴルフ練習装置１００の出射する基準線Ｓを交差させて、交点としての目標点Ｍを生成する。この場合、地面は斜面となっており、目標点Ｍはゴルフ練習装置１００よりも高いほうに位置する。なお、前記同様、一方側のゴルフ練習装置１００の手前に、ホール等のターゲットＴ及び保護ブロックＫを配置する。ユーザは、基準線Ｓ上にゴルフボールＢを置き、基準線Ｓを参照しながら目標点Ｍに向けてパッドを行う。ゴルフボールＢは、一方側のゴルフ練習装置１００から出射される基準線Ｓに沿って進むが、次第に放物線を描きながら、片方側のゴルフ練習装置１００の出射する基準線Ｓに沿うように転がり落ち、ターゲットＴに到達する。このように、基準線Ｓを交差させることで、目標点Ｍを生成することで、ユーザは当該目標点Ｍをめがけてパッドを行うことができる。また、放物線を描いて転がり落ちる側でもゴルフボールＢの軌跡を確認しやすい。【００１９】（実施の形態２）
図６は、この発明の実施の形態２にかかるゴルフ練習装を示す正面図である。図７は、図６に示したゴルフ練習装置２００を示す構成図である。このゴルフ練習装置２００は、実施の形態１に示したゴルフ練習装置１００に対して、パターなどのフェースで反射したレーザ光を受光する受光部２０１と、受光部２０１の出力信号に基づいてパターの位置や姿勢を判定する判定部２０２と、判定部２０２の判定結果をランプによりユーザに報知する表示部２０３と設けた構成である。受光部２０１は横方向に長い方形であり、且つ当該受光部２０１の前面にはシャッター２０４が可動に設けられている。なお、前記表示部２０３の代わりにブザーを用いても良い。【００２０】  図８は、図６に示したゴルフ練習装置２００の使用方法を示す説明図である。ユーザはゴルフ練習装置２００が生成した基準線Ｓ上にパターＰのヘッドＨを位置させる。パターのヘッド面で反射したレーザ光は、パターＰのヘッド面が基準線Ｓに対して略垂直になったとき、その反射光Ｓｒが受光部２０１で受光される。受光部２０１は、受光したレーザ光を電気信号に変換して判定部２０２に送信する。判定部２０２は、受光部２０１からの信号が所定時間連続している場合、パターＰのヘッドＨが正しい位置や姿勢であると判断し、表示部２０３のランプを点灯する。なお、レーザ光が一時的（例えば１秒以下）に受光部２０１に入射した程度では、パターＰが正しい位置や姿勢であると判定しない。【００２１】  この実施の形態２に係るゴルフ練習装置２００では、パターＰの正しい位置や姿勢を簡単に確認できる。なお、シャッター２０４により受光可能な範囲を広くしたり狭くしたりできる。シャッター２０４を広く開くと、反射光Ｓｒが多少ぶれても受光できるので、甘い判定となる。一方、シャッター２０４を狭く開くと、反射光Ｓｒが受光部２０１に入り難いので厳しい判定がなされることになる。【００２２】  なお、受光部２０１、判定部２０２、表示部２０３がない場合（実施の形態１にかかるゴルフ練習装置１００）であっても、目視で反射光Ｓｒが基準線Ｓと一致するようであれば、正しい姿勢でパターＰを握っているものと判定できる。【００２３】（実施の形態３）
図９は、この発明の実施の形態３にかかるゴルフ練習装置を示す正面図である。図１０は、図９に示したゴルフ練習装置を示す構成図である。このゴルフ練習装置３００は、全身鏡３０１と、全身鏡３０１の上端に設けたレーザ光による基準線を生成する光学系ユニット３０２とを備えた構成である。光学系ユニット３０２は、レーザのスポット光を出射するＬＤブロック３０３と、ＬＤブロック３０３から出射したレーザ光を分岐して基準線を生成するロッドレンズ３０４，３０５と、全反射ミラー３０６，３０７及びハーフミラー３０８から構成されている。また、光学系ユニット３０２を収納したプラスチック製の本体３０９には、二次電池からなる電源３１０が設けられている。前記ＬＤブロック３０３は、半導体レーザと集光レンズとを備える（図示省略）。【００２４】  前記ＬＤブロック３０３は垂直方向に配置され、その上部にはハーフミラー３０８が配置される。またハーフミラー３０８の上には全反射ミラー３０６が配置され、その全反射ミラー３０６の前方には垂直基準線Ｓｖを生成するロッドレンズ３０４が配置されている。また、ハーフミラー３０８の側方には、全反射ミラー３０７が配置されており、その前方には水平基準線Ｓｈを生成するロッドレンズ３０５が配置されている。ロッドレンズ３０５には、水平基準線Ｓｈの高さを調整するため、その軸方向に対して垂直方向に回転軸３１１が設けられている。この回転軸３１１にはギア３１２を介して調整つまみ３１３が設けられている。なお、この光学系ユニット３０２は、本体３０９に対してジンバル軸により懸架されており、光学系ユニット３０２の自重により傾斜を自動的に補正できる（図示省略）。【００２５】  このゴルフ練習装置３００では、ＬＤブロック３０３から出射したレーザ光はハーフミラー３０８により一部が側方に反射され、一部は透過する。透過したレーザ光は全反射ミラー３０６により反射し、ロッドレンズ３０４により分岐され、レーザ光による垂直基準線Ｓｖを生成する。一方、前記ハーフミラー３０８を反射したレーザ光は、側方の全反射ミラー３０７により反射してロッドレンズ３０５により分岐され、レーザ光による水平基準線Ｓｈを生成する。垂直基準線Ｓｖと水平基準線Ｓｈとは十字交差して全身鏡３０１の前に出射される。【００２６】  図１１及び図１２は、このゴルフ練習装置３００の使用方法を示す説明図である。全身鏡３０１の前にユーザが立ち、ゴルフのパターＰを持って構える。この状態で、ゴルフ練習装置３００から垂直基準線Ｓｖ及び水平基準線Ｓｈを当該ユーザに対して十字に照射する。ユーザは、垂直基準線Ｓｖ及び水平基準線Ｓｈが照射された自分の姿を全身鏡３０１で見ることができる。具体的には、全身鏡３０１の前に立ったユーザの体の軸方向に対して垂直基準線Ｓｖが投射され、肩幅方向に水平基準線Ｓｈが投射される。そして、ユーザは、ゴルフクラブＰを持った姿を垂直基準線Ｓｖ及び水平基準線Ｓｈを基準にしながら確認できる。なお、この本体３０９に小型のビデオカメラと録画手段を内蔵しておけば（図示省略）、ユーザの体に垂直基準線Ｓｖ及び水平基準線Ｓｈが投射された状態で録画されるから、より客観的に自分のフォームを確認できる。【００２７】  前記水平基準線Ｓｈは、肩の位置がフォームの確認において重要であるため、ユーザの肩から所定の高さｈの位置であって肩幅方向に投射するのが好ましい。前記調整つまみ３１３を回すと、ギア３１２及び回転軸３１１を介してロッドレンズ３０５が回転し、水平基準線Ｓｈが上下方向に動く。これにより、ユーザの身長に合わせて適切な位置に水平基準線Ｓｈを照射できる。なお、このゴルフ練習装置３００に用いるレーザ光は目に入射しても問題のない程度の強さとする。【００２８】（その他の実施の形態）
図１３は、この発明のその他の実施の形態を示す説明図である。このゴルフ練習装置４００では、上記実施の形態３にかかるゴルフ練習装置３００と略同様の構成であるが、垂直基準線Ｓｖを生成する光学系ユニット４０１を全身鏡３０１の上部に設け、水平基準線Ｓｈを生成する光学系ユニット４０２を本体に内蔵して三脚で立てるようにした点が異なる。水平基準線Ｓｖは、三脚上の本体の傾きを変えることで調整できる。このようにしても、図１３に示すように、ユーザの体に垂直基準線Ｓｖ及び水平基準線Ｓｈが十字に投射されるから、全身鏡３０１を見ながら客観的に自分のフォームを確認できる。
【図面の簡単な説明】
【００２９】
【図１】この発明の実施の形態１にかかるゴルフ練習装置を示す構成図である。
【図２】このゴルフ練習装置の使用方法の一例を示す説明図である。
【図３】このゴルフ練習装置の使用方法の一例を示す説明図である。
【図４】基準線の照射状態を示す説明図である。
【図５】このゴルフ練習装置の使用方法の別の例を示す説明図である。
【図６】この発明の実施の形態２にかかるゴルフ練習装を示す正面図である。
【図７】図６に示したゴルフ練習装置２００を示す構成図である。
【図８】図６に示したゴルフ練習装置２００の使用方法を示す説明図である。
【図９】この発明の実施の形態３にかかるゴルフ練習装置を示す正面図である。
【図１０】図９に示したゴルフ練習装置を示す構成図である。
【図１１】実施の形態３に係るゴルフ練習装置の使用方法を示す説明図である。
【図１２】実施の形態３に係るゴルフ練習装置の使用方法を示す説明図である。
【図１３】この発明のその他の実施の形態を示す説明図である。
【符号の説明】
【００３０】１００  ゴルフ練習装置
１  三脚
２  本体
３  ＬＤブロック
４  ロッドレンズ
５  電源
６  光学系ユニット
Ｓ  基準線
Ｂ  ゴルフボール
Ｔ  ターゲット
【図１】
2009261893.tif 000003
【図２】
2009261893.tif 000004
【図３】
2009261893.tif 000005
【図４】
2009261893.tif 000006
【図５】
2009261893.tif 000007
【図６】
2009261893.tif 000008
【図７】
2009261893.tif 000009
【図８】
2009261893.tif 000010
【図９】
2009261893.tif 000011
【図１０】
2009261893.tif 000012
【図１１】
2009261893.tif 000013
【図１２】
2009261893.tif 000014
【図１３】
2009261893.tif 000015